Podtech/llm-jp-corpus-v4-ja_patent huggingface dataset:
【手続補正書】
【提出日】平成16年2月10日(2004.2.10)
【手続補正１】
【補正対象書類名】明細書
【補正対象項目名】特許請求の範囲
【補正方法】変更
【補正の内容】
【特許請求の範囲】
【請求項１】
少なくとも活性層上の第二導電型クラッド層の上に該クラッド層と同一導電型のドライエッチストップ層が形成されたことを特徴とする窒化ガリウム系化合物半導体発光素子。
【請求項２】
前記ドライエッチストップ層として、ＡｌｕＩｎvＧａ1-u-vＮ（０≦ｕ、０＜ｖ、ｕ＋ｖ≦１）を用いてなることを特徴とする請求項１に記載の窒化ガリウム系化合物半導体発光素子。
【請求項３】
前記ドライエッチストップ層の膜厚が１０〜５０Åであることを特徴とする請求項１または２に記載の窒化ガリウム系化合物半導体発光素子。
【請求項４】
基板と、その基板上に積層されたバッファ層と、そのバッファ層上に積層された第一導電型クラッド層と、その第一導電型クラッド層上に形成された活性層と、その活性層上に形成された第二導電型を有する第一クラッド層と、その第一クラッド層上に積層された第二導電型を有するドライエッチストップ層と、このドライエッチストップ層上に一部が除去されて積層された第一導電型内部電流狭窄層と、前記ドライエッチストップ層およびその第一導電型内部電流狭窄層上に積層された第二導電型を有する第二クラッド層と、その第二クラッド層上に積層された第二導電型層とを有することを特徴とする窒化ガリウム系化合物半導体発光素子。
【請求項５】
基板と、その基板上に積層されたバッファ層と、そのバッファ層上に積層された第一導電型クラッド層と、その第一導電型クラッド層上に形成された活性層と、その活性層上に形成された第二導電型を有する第一クラッド層と、その第一クラッド層上に積層された第二導電型を有するドライエッチストップ層と、このドライエッチストップ層上に部分的に積層されてなる第二導電型を有する第二クラッド層と、その第二クラッド層上に積層された第二導電型層とを有することを特徴とする窒化ガリウム系化合物半導体発光素子。
【請求項６】
前記ドライエッチストップ層がＡｌｕＩｎvＧａ１−ｕ−vＮ（０≦ｕ、０＜ｖ、ｕ＋ｖ≦１）、前記活性層がＩｎyＧａ1-yＮ（０≦ｙ≦１：ｘ＝０のときｙ≠０）、前記第二クラッド層がＡｌxＧａ1-xＮ（０≦ｘ＜１）から構成されたことを特徴とする請求項４または５に記載の窒化ガリウム系化合物半導体発光素子。
【請求項７】
基板上に第一導電型ＡｌxＧａ1-xＮ（０≦ｘ＜１）クラッド層を形成する工程と、
その第一クラッド層上にＩｎyＧａ1-yＮ（０≦ｙ≦１：ｘ＝０のときｙ≠０）活性層と、その活性層上に第二導電型を有するＡｌxＧａ1-xＮ（０≦ｘ＜１）クラッド層と、その第二導電型を有するクラッド層上に第二導電型を有するＡｌuＩｎvＧａ1-u-vＮ（０≦ｕ、０＜ｖ、ｕ＋ｖ≦１）ドライエッチストップ層とを順次積層する工程と、
このドライエッチストップ層上に第一導電型ＧａＮ及びＡｌｚＧａ１−ｚＮ（０≦ｚ＜１）電流狭窄層を積層する工程と、
このドライエッチストップ層上に積層された第一導電型ＧａＮ及びＡｌｚＧａ１−ｚＮ（０≦ｚ＜１）電流狭窄層の一部を、ＡｌuＩｎvＧａ1-u-vＮ（０≦ｕ、０＜ｖ、ｕ＋ｖ≦１）ドライエッチストップ層までエッチングする工程とを含むことを特徴とする窒化ガリウム系化合物半導体発光素子の製造方法。
【請求項８】
基板上に、第一導電型ＡｌxＧａ1-xＮ（０≦ｘ＜１）クラッド層を形成する工程と、
その第一導電型クラッド層上に形成されたＩｎyＧａ1-yＮ（０≦ｙ≦１：ｘ＝０のときｙ≠０）活性層と、その活性層上に第二導電型を有するＡｌxＧａ1-xＮ（０≦ｘ＜１）第一クラッド層、その第一クラッド層上に第二導電型を有するＡｌuＩｎvＧａ1-u-vＮ（０≦ｕ、０＜ｖ、ｕ＋ｖ≦１）ドライエッチストップ層を順次積層する工程と、
このドライエッチストップ層上に第二導電型を有するＡｌＧａＮ第二クラッド層及び第二導電型ＧａＮ層を順次積層する工程と、
前記ドライエッチストップ層上に積層されてなる第二導電型を有するＡｌＧａＮ第二クラッド層の一部及び第二導電型ＧａＮ層の一部をＡｌuＩｎvＧａ1-u-vＮ（０≦ｕ、０＜ｖ、ｕ＋ｖ≦１）ドライエッチストップ層までエッチングする工程とを含むことを特徴とする窒化ガリウム系化合物半導体発光素子の製造方法。
【請求項９】
基板と、その基板上に形成された第一導電型クラッド層と、その第一導電型クラッド層上に形成された活性層と、その活性層上に形成された第二導電型を有する第一導電型ＡｌxＧａ1-xＮ（０≦ｘ＜１）第一クラッド層と、その第一クラッド層上に形成された第二導電型を有する膜厚１０〜５０ÅのＡｌuＩｎvＧａ1-u-vＮ（０≦ｕ、０＜ｖ、ｕ＋ｖ≦１）層と、このＡｌuＩｎvＧａ1-u-vＮ層上に積層されてなる第二導電型を有するＡｌＧａＮ第二クラッド層と、その第二クラッド層上に積層された第二導電型ＧａＮ層とを有し、
前記第二クラッド層及び第二導電型ＧａＮ層はリッジストライプ形状に形成されていることを特徴とする窒化ガリウム系化合物半導体発光素子。
【手続補正書】
【提出日】平成16年4月23日(2004.4.23)
【手続補正１】
【補正対象書類名】明細書
【補正対象項目名】特許請求の範囲
【補正方法】変更
【補正の内容】
【特許請求の範囲】
【請求項１】
遊技領域に特定入賞口と普通入賞口を設け、前記特定入賞口への入賞球を特定検出器で検出するとともに特定球カウンタに加算し、
前記特定入賞口への入賞球と普通入賞口への入賞球を集合路に集合させて、それらの入賞球を入賞球検出器で検出すると、入賞球を入賞球排出装置で排出するとともに前記特定球カウンタに記憶がある場合には第１の特典を付与し、且つ、特定球カウンタから１を減算し、前記特定球カウンタに記憶がない場合には第２の特典を付与する遊技機であって、
前記普通入賞口の専用通路に隣接して、特定検出器を装着可能な装着孔を形成の試験用検出器付設部を設け、
この試験用検出器付設部に、特定検出器を装着しても、この特定検出器の検出位置が試験用検出器とは異なっているので入賞球の検出ができないことを特徴とする遊技機。
【手続補正２】
【補正対象書類名】明細書
【補正対象項目名】０００８
【補正方法】変更
【補正の内容】
【０００８】
【課題を解決するための手段】
請求項１の遊技機は、遊技領域に特定入賞口と普通入賞口を設け、前記特定入賞口への入賞球を特定検出器で検出するとともに特定球カウンタに加算し、
前記特定入賞口への入賞球と普通入賞口への入賞球を集合路に集合させて、それらの入賞球を入賞球検出器で検出すると、入賞球を入賞球排出装置で排出するとともに前記特定球カウンタに記憶がある場合には第１の特典を付与し、且つ、特定球カウンタから１を減算し、前記特定球カウンタに記憶がない場合には第２の特典を付与するものである。
そして、普通入賞口の専用通路に隣接して、特定検出器を装着可能な装着孔を形成の試験用検出器付設部を設ける。
しかし、この試験用検出器付設部に装着可能な特定検出器を装着しても、この特定検出器の検出位置が、試験用検出器と異なるため、入賞球の検出ができないので、第１の特典を得る不正行為を防止できる。


【手続補正３】
【補正対象書類名】明細書
【補正対象項目名】０００９
【補正方法】削除
【補正の内容】
【手続補正４】
【補正対象書類名】明細書
【補正対象項目名】００２８
【補正方法】変更
【補正の内容】
【００２８】
【発明の効果】
請求項１の遊技機は、試験用検出器付設部に装着可能な特定検出器を装着しても、この特定検出器の検出位置が、試験用検出器と異なるため、入賞球の検出ができないので、第１の特典を得る不正行為を防止できる。
【手続補正書】
【提出日】平成17年1月17日(2005.1.17)
【手続補正１】
【補正対象書類名】明細書
【補正対象項目名】特許請求の範囲
【補正方法】変更
【補正の内容】
【特許請求の範囲】
【請求項１】
集水孔を有する集水管の周りに分離膜、透過液流路材および原液流路材を含む膜ユニットを形成してなる流体分離素子を複数個有し、互いに隣接する流体分離素子の集水管を、両集水管に内挿される接続管を介して流体的に接続した流体分離素子組立体において、接続管の上流側端部および下流側端部の少なくとも一方に、流路横断面積が管端面に向かって大きくなる拡大部を設け、該拡大部を、接続管軸に対して３０度以下の傾斜をもつ内面として形成したことを特徴とする流体分離素子組立体。
【請求項２】
前記拡大部が、接続管の端面に向かって内径が徐々に拡大する形状に形成されている、請求項１の流体分離素子組立体。
【請求項３】
接続管が集水管への原液混入防止部材を備えている、請求項１または２に記載の流体分離素子組立体。
【請求項４】
接続管が横断面積の異なる複数個の原液混入防止部材を備えている、請求項１〜３のいずれかに記載の流体分離素子組立体。
【請求項５】
原液混入防止部材がＯリングである、請求項３または４に記載の流体分離素子組立体。
【請求項６】
接続管が、原液混入防止部材が嵌装される凹部を有している、請求項３〜５のいずれかに記載の流体分離素子組立体。
【請求項７】
接続管が、接続される流体分離素子の位置を決定する凸部を有している、請求項１〜５のいずれかに記載の流体分離素子組立体。
【請求項８】
流体分離素子にテレスコープ防止板が設けられている、請求項１〜７のいずれかに記載の流体分離素子組立体。
【請求項９】
接続管がテレスコープ防止板と一体に構成されている、請求項８の流体分離素子組立体。
【請求項１０】
接続管がテレスコープ防止板と別体に構成されている、請求項８の流体分離素子組立体。
【請求項１１】
圧力容器に、請求項１〜１０のいずれかに記載の流体分離素子組立体を収容してなる流体分離膜モジュール。
【手続補正２】
【補正対象書類名】明細書
【補正対象項目名】０００７
【補正方法】変更
【補正の内容】
【０００７】
【課題を解決するための手段】
上記課題を解決するために、本発明の流体分離素子組立体は、集水孔を有する集水管の周りに分離膜、透過液流路材および原液流路材を含む膜ユニットを形成してなる流体分離素子を複数個有し、互いに隣接する流体分離素子の集水管を、両集水管に内挿される接続管を介して流体的に接続した流体分離素子組立体において、接続管の上流側端部および下流側端部の少なくとも一方に、流路横断面積が管端面に向かって大きくなる拡大部を設け、該拡大部を、接続管軸に対して３０度以下の傾斜をもつ内面として形成したことを特徴とするものからなる。
【手続補正３】
【補正対象書類名】明細書
【補正対象項目名】０００８
【補正方法】変更
【補正の内容】
【０００８】
上記拡大部は、好ましくは上下流側の両端部に設けられる。また、流路断面積拡大部の形状としては、接続管の端面に向かって内径が徐々に拡大する末広がり状の形状が好ましい。上下流側の両端部に設ける場合には、下流側の拡大部の方を、よりなだらかに内径が変化する形状とすることが好ましい。
【手続補正４】
【補正対象書類名】明細書
【補正対象項目名】００２１
【補正方法】変更
【補正の内容】
【００２１】
接続管１４の内面の上流側端部および下流側端部には、流路横断面積が接続管端面１４ａ、１４ｂに向かって大きくなる拡大部３０ａ、３０ｂが設けられている。本実施態様では、各拡大部３０ａ、３０ｂは、対応する管端面１４ａ、１４ｂに向かって接続管１４の内径が徐々に曲線状かつテーパ状に拡大する形状に形成されている。そして、下流側の拡大部１４ｂの方が、よりなだらかに流路横断面積が変化するように、その流れ方向の長さがより長く設定されている。また、その傾斜は、接続管軸に対して３０度以下に設定されている。
【手続補正書】
【提出日】平成17年1月11日(2005.1.11)
【手続補正１】
【補正対象書類名】明細書
【補正対象項目名】特許請求の範囲
【補正方法】変更
【補正の内容】
【特許請求の範囲】
【請求項１】
吸水性樹脂および抗菌剤を含有する吸水剤であって、
前記吸水性樹脂は、ポリアクリル酸部分中和物架橋体および澱粉−アクリル酸グラフト重合体の中和物から選ばれる吸水性樹脂前駆体を表面架橋処理した吸水性樹脂であり、
吸水剤の加圧下吸収倍率が25(g/g)以上、かつ吸水速度が20秒以上50秒以下であって、
ここで、加圧下吸収倍率は、荷重２０ｇ／ｃｍ２（約１．９ｋＰａ）における、生理食塩水（０．９重量％塩化ナトリウム水溶液）に対する６０分間での吸収倍率であり、
吸水速度は、３０℃における、生理食塩水（０．９重量％塩化ナトリウム水溶液）５０ｇに対する吸水剤２ｇの吸水時間である、
吸水剤。
【請求項２】
吸水性樹脂および抗菌剤を含有する吸水剤であって、
前記吸水性樹脂は、ポリアクリル酸部分中和物架橋体および澱粉−アクリル酸グラフト重合体の中和物から選ばれる、平均粒径が２００μｍ〜４００μｍの範囲内の吸水性樹脂前駆体を表面架橋剤の存在下に加熱処理した、加圧下吸収倍率が25(g/g)以上の吸水性樹脂であって、
ここで、加圧下吸収倍率は、荷重２０ｇ／ｃｍ２（約１．９ｋＰａ）における、生理食塩水（０．９重量％塩化ナトリウム水溶液）に対する６０分間での吸収倍率である、
吸水剤。
【請求項３】
抗菌剤が水溶性または水分散性である請求項１または２に記載の吸水剤。
【請求項４】
抗菌剤が第４級アンモニウム塩系化合物および/またはビグアナイド系化合物である請求項１〜３のいずれか１項に記載の吸水剤。
【請求項５】
無機粉末をさらに含む請求項１〜４のいずれか１項に記載の吸水剤。
【請求項６】
抗菌剤が粉体に担持されたものである請求項１〜５のいずれか１項に記載の吸水剤。
【請求項７】
粉体が難溶性リン酸塩である請求項１〜６のいずれか１項に記載の吸水剤。
【請求項８】
吸水性樹脂および抗菌剤を含有する吸水剤の製造方法であって、
ポリアクリル酸部分中和物架橋体および澱粉−アクリル酸グラフト重合体の中和物から選ばれる、平均粒径が２００μｍ〜４００μｍの範囲内の吸水性樹脂前駆体を表面架橋剤の存在下に加熱処理した、加圧下吸収倍率が25(g/g)以上の吸水性樹脂に抗菌剤を添加することを特徴とし、
ここで、加圧下吸収倍率は、荷重２０ｇ／ｃｍ２（約１．９ｋＰａ）における、生理食塩水（０．９重量％塩化ナトリウム水溶液）に対する６０分間での吸収倍率である、
吸水剤の製造方法。
【請求項９】
吸水性樹脂と繊維基材の合計量に対する吸水性樹脂の重量比αが0.3以上である吸収体を含む吸収層、透液性を有する表面シート、および、不透液性を有する背面シートを備える吸収性物品であって、前記吸収体は請求項１〜６のいずれか１項に記載の吸水剤を含むことを特徴とする吸収性物品。
【手続補正２】
【補正対象書類名】明細書
【補正対象項目名】００１１
【補正方法】変更
【補正の内容】
【００１１】
すなわち請求項１記載の発明の吸水剤は、吸水性樹脂および抗菌剤を含有する吸水剤であって、前記吸水性樹脂は、ポリアクリル酸部分中和物架橋体および澱粉−アクリル酸グラフト重合体の中和物から選ばれる吸水性樹脂前駆体を表面架橋処理した吸水性樹脂であり、吸水剤の加圧下吸収倍率が25(g/g)以上、かつ吸水速度が20秒以上50秒以下であることを特徴としている。ここで、加圧下吸収倍率は、荷重２０ｇ／ｃｍ２（約１．９ｋＰａ）における、生理食塩水（０．９重量％塩化ナトリウム水溶液）に対する６０分間での吸収倍率であり、吸水速度は、３０℃における、生理食塩水（０．９重量％塩化ナトリウム水溶液）５０ｇに対する吸水剤２ｇの吸水時間である。また、請求項２記載の発明の吸水剤は、吸水性樹脂および抗菌剤を含有する吸水剤であって、前記吸水性樹脂は、ポリアクリル酸部分中和物架橋体および澱粉−アクリル酸グラフト重合体の中和物から選ばれる、平均粒径が２００μｍ〜４００μｍの範囲内の吸水性樹脂前駆体を表面架橋剤の存在下に加熱処理した、加圧下吸収倍率が25(g/g)以上の吸水性樹脂であることを特徴としている。ここで、加圧下吸収倍率は、荷重２０ｇ／ｃｍ２（約１．９ｋＰａ）における、生理食塩水（０．９重量％塩化ナトリウム水溶液）に対する６０分間での吸収倍率である。
【手続補正３】
【補正対象書類名】明細書
【補正対象項目名】００１２
【補正方法】変更
【補正の内容】
【００１２】
請求項８記載の発明の吸水剤の製造方法は、吸水性樹脂および抗菌剤を含有する吸水剤の製造方法であって、ポリアクリル酸部分中和物架橋体および澱粉−アクリル酸グラフト重合体の中和物から選ばれる、平均粒径が２００μｍ〜４００μｍの範囲内の吸水性樹脂前駆体を表面架橋剤の存在下に加熱処理した、加圧下吸収倍率が25(g/g)以上の吸水性樹脂に抗菌剤を添加することを特徴としている。ここで、加圧下吸収倍率は、荷重２０ｇ／ｃｍ２（約１．９ｋＰａ）における、生理食塩水（０．９重量％塩化ナトリウム水溶液）に対する６０分間での吸収倍率である。
【手続補正４】
【補正対象書類名】明細書
【補正対象項目名】００１３
【補正方法】変更
【補正の内容】
【００１３】
請求項９記載の発明の吸収性物品は、吸水性樹脂と繊維基材の合計量に対する吸水性樹脂の重量比αが0.3以上である吸収体を含む吸収層、透液性を有する表面シート、および、不透液性を有する背面シートを備える吸収性物品であって、前記吸収体は、本発明の吸水剤を含むことを特徴としている。
【手続補正書】
【提出日】平成17年3月3日(2005.3.3)
【手続補正１】
【補正対象書類名】明細書
【補正対象項目名】特許請求の範囲
【補正方法】変更
【補正の内容】
【特許請求の範囲】
【請求項１】
穀粒を回転精白ロールにより軸方向に移動させながら精白するようにした精米機において、
前記回転精白ロールは、中空で始端部に送風口を開口した回転軸に、該始端部側から順に研削精白ロールと摩擦精白ロールとが固設され、
前記研削精白ロールと前記摩擦精白ロールには、前記送風口と連通する送風路が形成されていることを特徴とする精米機。
【請求項２】
前記回転軸における前記研削精白ロールの始端部側には、投入された穀粒を前記研削精白ロール側に送るねじロールが設けられていることを特徴とする請求項１に記載された精米機。
【手続補正２】
【補正対象書類名】明細書
【補正対象項目名】０００５
【補正方法】変更
【補正の内容】
【０００５】
【課題を解決するための手段】
この目的を達成するために本発明は、穀粒を回転精白ロールにより軸方向に移動させながら精白するようにした精米機において、前記回転精白ロールは、中空で始端部に送風口を開口した回転軸に、該始端部側から順に研削精白ロールと摩擦精白ロールとが固設され、前記研削精白ロールと前記摩擦精白ロールには、前記送風口と連通する送風路が形成されていることを特徴とする。また、この特徴に加えて、前記回転軸における前記研削精白ロールの始端部側には、投入された穀粒を前記研削精白ロール側に送るねじロールが設けられていることを特徴とする。
【手続補正３】
【補正対象書類名】明細書
【補正対象項目名】０００６
【補正方法】変更
【補正の内容】
【０００６】
【作用】
このような構成を有することにより本発明の精米機においては、穀粒の精白に大きな圧力を要し、砕粒の発生、堅い糠層を精白するのが困難、穀粒の糠層のみを削ることができない、という従来の欠点がなくなり、低い圧力で、歩留を高くし、穀粒表面を滑らかに仕上げ、かつ小型化が可能となる。また、回転精白ロールには、中空で始端部に送風口を開口した回転軸に、該始端部側から順に研削精白ロールと摩擦精白ロールとが固設され、研削精白ロールと摩擦精白ロールには、送風口と連通する送風路が形成されているので、精白中に穀粒の冷却及び排ぬかを行うことができる。
【手続補正４】
【補正対象書類名】明細書
【補正対象項目名】００１９
【補正方法】変更
【補正の内容】
【００１９】
【発明の効果】
以上説明したように本発明の精米機によれば、回転精白ロールを摩擦精白ロールと研削精白ロールとにより構成し、この両ロールを同軸上に配設したので、穀粒は摩擦精白ロールと研削精白ロールとにより一行程で穀粒表面を研削して摩擦によって精白を行うことができる。しかも精米機を小型化でき、低い圧力で、歩留を高くし、穀粒表面を滑らかに仕上げることができる。また、回転精白ロールには、中空で始端部に送風口を開口した回転軸に、該始端部側から順に研削精白ロールと摩擦精白ロールとが固設され、研削精白ロールと摩擦精白ロールには、送風口と連通する送風路が形成されているので、精白中に穀粒の冷却及び排ぬかを行うことができる。
【手続補正書】
【提出日】平成17年2月9日(2005.2.9)
【手続補正１】
【補正対象書類名】明細書
【補正対象項目名】特許請求の範囲
【補正方法】変更
【補正の内容】
【特許請求の範囲】
【請求項１】
間隔をあけて並設された多数の吐出口から液体を吐出させて塗布面に液
体を塗布する液体塗布装置であって、
前記塗布面を横断し塗布面に沿って平行移動自在に配置される塗布腕と、
前記塗布腕の内部を軸方向に延び前記液体が供給される液体供給路と、
前記塗布腕の内部で、一端が前記液体供給路に連通し、他端が塗布腕の外面に開放されて前記吐出口となる多数の吐出路と、
前記塗布腕の内部で、前記多数の吐出路と前記液体供給路との間にそれぞれ配置され、液体供給路から吐出路に向かう液体の流線に沿う形状を有する流線案内路とを備え、
隣接する前記流線案内路同士が前記流体供給路側で互いに接して配置されている
液体塗布装置。
【請求項２】
前記流線案内路が、前記吐出路側が狭まる錐形をなす
請求項１に記載の液体塗布装置。
【請求項３】
前記流線案内路が、四角錐形をなす
請求項２に記載の液体塗布装置。
【請求項４】
間隔をあけて並設された多数の吐出口から液体を吐出させて塗布面に液
体を塗布する液体塗布装置であって、
前記塗布面を横断し塗布面に沿って平行移動自在に配置される塗布腕と、
前記塗布腕の内部を軸方向に延び前記液体が供給される液体供給路と、
前記塗布腕の内部で、一端が前記液体供給路に連通し、他端が塗布腕の外面に開放されて前記吐出口となる多数の吐出路と、
前記塗布腕の外面に配置され、前記吐出口が開口し、その外側の塗布腕の外面よりも突出した規制面と
を備える液体塗布装置。
【請求項５】
前記規制面の突出高さｈが、下式（１）を満足する
請求項４に記載の液体塗布装置。
ｈ≧１．５ｄ*         …（１）
ｈ  ：突出高さ
ｄ* ：吐出口の相当内径（ｄ* ＝４×面積／周長）
【請求項６】
前記規制面の相当外径Ｄ* が、下式（２）を満足する
請求項４または５に記載の液体塗布装置。
３≦Ｄ* ／ｄ* ≦６    …（２）
Ｄ* ：規制面の相当外径（Ｄ* ＝４×面積／周長）
ｄ* ：吐出口の相当内径（ｄ* ＝４×面積／周長）
【請求項７】
前記請求項１〜３の何れかに記載の流線案内路をさらに備える請求項４〜６の何れかに記載の液体塗布装置。
【手続補正２】
【補正対象書類名】明細書
【補正対象項目名】００１６
【補正方法】変更
【補正の内容】
【００１６】
規制面の突出高さが十分にあれば、吐出口から吐出される液体が、規制面の外側まで濡らすことが防止できる。突出高さの上限は、塗布腕の寸法や製造加工性を考慮して設定すればよい。
規制面の相当外径Ｄ* が、下式（２）を満足するものが好ましい。
３≦Ｄ* ／ｄ* ≦６    …（２）
Ｄ* ：規制面の相当外径（Ｄ* ＝４×面積／周長）
ｄ* ：吐出口の相当内径（ｄ* ＝４×面積／周長）
吐出口に対する規制面の大きさが上記条件を満足していれば、前記した液体で濡れる範囲を適切な範囲に収めて、液体流の曲がりを防止できる。
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】削除
【補正の内容】
【手続補正１２】
【補正対象書類名】明細書
【補正対象項目名】００２６
【補正方法】削除
【補正の内容】
【手続補正１３】
【補正対象書類名】明細書
【補正対象項目名】００５３
【補正方法】変更
【補正の内容】
【００５３】
【発明の効果】
本発明の液体塗布装置は、前記した流線案内路、規制面で構成される、吐出口から吐出される液体流の曲がりやバラツキを低減し均等化する手段を備えていることにより、塗布面の全面に均一な液体層を形成することができる。
【手続補正書】
【提出日】平成17年8月12日(2005.8.12)
【手続補正１】
【補正対象書類名】明細書
【補正対象項目名】００６３
【補正方法】変更
【補正の内容】
【００６３】
３）抗菌性評価
５ｃｍ角に切りだした試料を８０％エタノールで消毒し、１５０℃で乾燥して滅菌後、予め前培養と希釈を行って菌濃度を１０５個／ｍｌに調節しておいた大腸菌の菌液を０．２ｍｌ試料面に滴下しインキュベーター内にセットした。白色蛍光灯（１５Ｗ×２本、光源との距離１０ｃｍ）の光を照射したもの、及び光照射を全く行わなかったもの、の２種の光照射条件で各々４個の試料をセットした。所定時間後（１、２、３、４時間後）に試料を取り出し、滅菌生理食塩水に浸した滅菌ガーゼで試料上の菌液を拭き取り、拭き取った滅菌ガーゼを１０ｍｌの滅菌生理食塩水に入れ十分撹拌し、この上澄み菌液をオートクレーブ滅菌した９５ｍｍφのシャーレ寒天培地に植え付け、３６℃２４Ｈｒ培養後大腸菌のコロニー数を計数した。インキュベーターに入れるまでの操作を全く同一にした基準菌数測定用試料を同一の方法により調製し、滅菌生理食塩水の上澄み液をシャーレ寒天培地に植え付けて２４Ｈｒ培養後の大腸菌のコロニー数を計数した。その数値を基準にして各試料の所定時間後における大腸菌の生存率を算出した。４時間経過後の蛍光灯の光を照射した試料の大腸菌の残存率により評価し、評価基準は以下のとおりとした。
４時間後の大腸菌残存率         評価 
２０％以下           Ａ 
２０〜４０％           Ｂ
４０〜６０％           Ｃ 
６０〜８０％           Ｄ 
８０％以上           Ｅ
【手続補正書】
【提出日】平成17年3月22日(2005.3.22)
【手続補正１】
【補正対象書類名】明細書
【補正対象項目名】特許請求の範囲
【補正方法】変更
【補正の内容】
【特許請求の範囲】
【請求項１】
プレーヤが操作する操作入力部からの操作信号に応答して景品取得手段を移動させ、前記景品取得手段によって取得した景品を前記プレーヤに提供する景品取得ゲーム機であって、
前記操作入力部の操作により、前記景品取得手段の第１の方向への移動を制御する第１の移動制御手段と、
前記操作入力部の操作により、前記景品取得手段の前記第１の方向とは異なる第２の方向への移動を制御する第２の移動制御手段と、
前記操作入力部の操作により、前記景品取得手段の前記第１の方向及び前記第２の方向とは異なる第３の方向への移動を制御する第３の移動制御手段と
を有することを特徴とする景品取得ゲーム機。
【請求項２】
プレーヤが操作する操作入力部からの操作信号に応答して景品取得手段を移動させ、前記景品取得手段によって取得した景品を前記プレーヤに提供する景品取得ゲーム機であって、
前記操作入力部の操作により、前記景品取得手段をプレーヤからみて前記筐体の左右方向への移動を制御する第１の移動制御手段と、
前記操作入力部の操作により、前記景品取得手段をプレーヤからみて前記筐体の前後方向への移動を制御する第２の移動制御手段と、
前記操作入力部の操作により、前記景品取得手段をプレーヤからみて前記筐体の垂直方向への移動を制御する第３の移動制御手段と
を有することを特徴とする景品取得ゲーム機。
【請求項３】
請求項１又は２記載の景品取得ゲーム機において、
前記第１の移動制御手段、前記第２の移動制御手段及び／又は前記第３の制御移動手段は、前記操作入力部からの操作信号を受信している間、前記景品取得手段を移動させることを特徴とする景品取得ゲーム機。
【請求項４】
請求項１又は２記載の景品取得ゲーム機において、
前記第１の移動制御手段、前記第２の移動制御手段及び／又は前記第３の制御移動手段は、前記操作入力部からの操作信号を受信すると、前記景品取得手段の移動を停止させることを特徴とする景品取得ゲーム機。
【請求項５】
請求項１又は２記載の景品取得ゲーム機において、
水が蓄えられ、水面又は水中に景品を浮遊させて収容する収容部を有していることを特徴とする景品取得ゲーム機。
【請求項６】
請求項５記載の景品取得ゲーム機において、
前記収容部内の水に流れを生じる水流生成手段を更に有することを特徴とする景品取得ゲーム機。
【請求項７】
請求項５又は６記載の景品取得ゲーム機において、
取得した前記景品に付着した水分を除去する水切り手段を更に有することを特徴とする景品取得ゲーム機。
【手続補正書】
【提出日】平成17年3月22日(2005.3.22)
【手続補正１】
【補正対象書類名】明細書
【補正対象項目名】特許請求の範囲
【補正方法】変更
【補正の内容】
【特許請求の範囲】
【請求項１】
計時機能を有し遊戯者がゲームをスタートさせたときの第１の時間情報を取得する時計部と、
前記遊戯者が入力した第２の時間情報を記憶するユーザ時間情報記憶部と
前記第１の時間情報と前記第２の時間情報とを比較する時間情報比較部と、
この比較結果に基づいてゲーム進行の制御を行うゲーム進行管理部と、
を備えるゲーム装置のデータ処理方法であって、
前記ユーザ時間情報記憶部が、前記第２の時間情報を記憶する手順、
前記時計部が、ゲームを遊戯者がスタートさせたときの前記第１の時間情報を取得する手順、
前記ゲーム進行管理部が、前記第２の時間情報を取得する手順、
前記ゲーム進行管理部が、前記第１の時間情報と前記第２の時間情報とを比較する手順、
前記ゲーム進行管理部が、その比較結果に基づいてゲームの動作内容を決定する手順を実行することを特徴とするゲーム機のデータ処理方法。
【請求項２】
請求項１記載のデータ処理方法であって、
前記ゲーム進行管理部は、前記第１の時間情報と前記第２の時間情報との比較結果として前記第１の時間情報と前記第２の時間情報との差が所定値未満である場合、又は前記第２の時間情報がある程度の長さを有する期間であり、第１の時間情報が前記期間内にある場合には、ゲームプログラム上の得点及びパラメータをアップさせる処理を行う手順と、
前記第１の時間情報と前記第２の時間情報との差が所定値以上である場合、及び第１の時間情報が第２の時間情報が示すある程度の長さを有する期間外であった場合には、前記得点及びパラメータをダウンさせる処理を行う手順と、を備え、
これら手順によりゲーム処理の内容を決定することを実行することを特徴とするデータ処理方法。
【請求項３】
請求項１記載のデータ処理方法であって、
前記ゲーム進行管理部は複数の演出プログラムをゲーム演出プログラム記憶部に保持しており、前記第１の時間情報と前記第２の時間情報との比較結果として、前記第１の時間情報と前記第２の時間情報との差が所定値未満である場合、及び前記第２の時間情報がある程度の長さを有する期間であり、前記第１の時間情報が前記期間内にある場合にはゲーム演出プログラム記憶部のメインシナリオ演出プログラム処理を行う手順と、
前記第１の時間情報と前記第２の時間情報との差が所定値以上である場合、及び前記第１の時間情報が前記第２の時間情報が示すある程度の長さを有する期間外であった場合には、前記ゲーム演出プログラム記憶部から、待ち時間演出、遅れ演出、及びゲーム続行不能プログラム処理を行う手順と、
を前記ゲーム進行管理部が実行することで、ゲーム処理の内容を決定することを特徴とするデータ処理方法。
【請求項４】
前記第１の時間情報が前記遊戯者のゲーム装置を他のゲーム装置と通信可能に接続させた時の時間である、請求項１乃至３の何れか１項記載のデータ処理方法。
【手続補正書】
【提出日】平成16年4月7日(2004.4.7)
【手続補正１】
【補正対象書類名】明細書
【補正対象項目名】特許請求の範囲
【補正方法】変更
【補正の内容】
【特許請求の範囲】
【請求項１】
遊技機の異常を検出して、異常内容毎に警報可能な警報器を具備する遊技機であって、
前記警報器を可搬式にすると共に、遊技機には前記警報器に警報信号を伝達する伝達手段を設け、
前記可搬式警報器には、報知器を備えると共に、予め前記警報信号に対応する異常内容を記憶しておくことを特徴とする遊技機。
【請求項２】
遊技機の異常を検出して、異常内容毎に警報可能な警報器を具備する遊技機であって、
予め、遊技機に付設の記憶媒体に異常内容を記憶しておくと共に、前記警報器を遊技機に付設の特別図柄表示部とすることを特徴とする遊技機。
【手続補正２】
【補正対象書類名】明細書
【補正対象項目名】０００４
【補正方法】変更
【補正の内容】
【０００４】
【課題を解決するための手段】
請求項１の遊技機は、遊技機の異常を検出して、異常内容毎に警報可能な警報器を具備し、遊技機には警報器に警報信号を伝達する伝達手段を設け、可搬式警報器には報知器を備えると共に、予め前記警報信号に対応する異常内容を記憶しておくものである。
異常が生じたとき、可搬式警報器と遊技機を伝達手段を介して接続すると、係員は、予め記憶されている異常内容が可搬式警報器に具備する報知器を介して知ることができる。


【手続補正３】
【補正対象書類名】明細書
【補正対象項目名】０００５
【補正方法】変更
【補正の内容】
【０００５】
請求項２の遊技機は、遊技機の異常を検出して、異常内容毎に警報可能な警報器を具備し、予め、遊技機に付設の記憶媒体に異常内容を記憶しておき、警報器を遊技機に付設の特別図柄表示部とするものであり、異常が生じたときには、記憶媒体の内容を参照して、遊技機に付設の特別図柄表示部に警報を表示する。


【手続補正４】
【補正対象書類名】明細書
【補正対象項目名】０００６
【補正方法】削除
【補正の内容】
【手続補正５】
【補正対象書類名】明細書
【補正対象項目名】００３３
【補正方法】変更
【補正の内容】
【００３３】
【発明の効果】
請求項１の遊技機においては、可搬式警報器を介して異常箇所を知ることができるため、遊技機に警報器を設ける必要がない。
又、請求項２の遊技機においては、警報器として特別図柄表示部を使用するため、別途警報器を設置する必要がないため経費節減となる。
【手続補正書】
【提出日】平成17年2月9日(2005.2.9)
【手続補正１】
【補正対象書類名】明細書
【補正対象項目名】請求項１
【補正方法】変更
【補正の内容】
【請求項１】
入賞確率が低い閉鎖状態から入賞確率が高い開放状態に切換わる変動入賞装置と、
該変動入賞装置に入賞した遊技球を検出する特賞球検出手段と、
予め設定されている特別遊技実行条件が成立すると、前記変動入賞装置を前記開放状態にさせることにより特別遊技を実行する遊技制御手段と、
該変動入賞装置を含む入賞装置に遊技球が入賞したことに起因して、該入賞した入賞装置に設定されている個数の遊技球の払出を指示する払出指示手段と、
該払出指示手段の指示に従って遊技球を払出す払出装置と、
前記入賞装置に入賞した遊技球（以下、入賞球という）を一箇所に誘導する集合路と、
前記払出指示手段から前記払出の指示が１回行われると前記入賞球の１個を排出することを指示する証拠球排出指示手段と、
該証拠球排出指示手段からの前記排出の指示がある毎に、前記集合路によって誘導された入賞球を１個ずつ機外に排出する証拠球排出手段と
を備えるパチンコ機において、
前記遊技制御手段は、前記特別遊技実行条件が成立すると遊技球が特定の領域を通過したことを条件とせずに前記変動入賞装置を予め設定された回数まで繰り返し前記開放状態にさせることにより特別遊技を実行し、
前記払出指示手段は、前記特別遊技中に前記変動入賞装置に入賞した入賞球数が予め設定されている上限個数を超えていれば、該上限個数を超えた分の前記変動入賞装置への入賞球（以下、超過入賞球という）については前記払出装置に対して払出の指示を行わず、
前記証拠球排出指示手段は、前記超過入賞球に相当する個数の前記入賞球の排出を前記払出指示手段による前記払出の指示とは無関係に前記証拠球排出手段に指示する
ことを特徴とするパチンコ機。
【手続補正２】
【補正対象書類名】明細書
【補正対象項目名】００３１
【補正方法】変更
【補正の内容】
【００３１】
【課題を解決するための手段および発明の効果】
上記課題を解決するための請求項１記載のパチンコ機は、入賞確率が低い閉鎖状態から入賞確率が高い開放状態に切換わる変動入賞装置と、該変動入賞装置に入賞した遊技球を検出する特賞球検出手段と、予め設定されている特別遊技実行条件が成立すると、前記変動入賞装置を前記開放状態にさせることにより特別遊技を実行する遊技制御手段と、該変動入賞装置を含む入賞装置に遊技球が入賞したことに起因して、該入賞した入賞装置に設定されている個数の遊技球の払出を指示する払出指示手段と、該払出指示手段の指示に従って遊技球を払出す払出装置と、前記入賞装置に入賞した遊技球（入賞球）を一箇所に誘導する集合路と、前記払出指示手段から前記払出の指示が１回行われると前記入賞球の１個を排出することを指示する証拠球排出指示手段と、該証拠球排出指示手段からの前記排出の指示がある毎に、前記集合路によって誘導された入賞球を１個ずつ機外に排出する証拠球排出手段とを備えるパチンコ機において、前記遊技制御手段は、前記特別遊技実行条件が成立すると遊技球が特定の領域を通過したことを条件とせずに前記変動入賞装置を予め設定された回数まで繰り返し前記開放状態にさせることにより特別遊技を実行し、前記払出指示手段は、前記特別遊技中に前記変動入賞装置に入賞した入賞球数が予め設定されている上限個数を超えていれば、該上限個数を超えた分の前記変動入賞装置への入賞球（以下、超過入賞球という）については前記払出装置に対して払出の指示を行わず、前記証拠球排出指示手段は、前記超過入賞球に相当する個数の前記入賞球の排出を前記払出指示手段による前記払出の指示とは無関係に前記証拠球排出手段に指示することを特徴とする。
【手続補正３】
【補正対象書類名】明細書
【補正対象項目名】００３２
【補正方法】変更
【補正の内容】
【００３２】
このパチンコ機では、遊技制御手段は、特別遊技実行条件が成立すると遊技球が特定の領域を通過したことを条件とせずに変動入賞装置を予め設定された回数まで繰り返し開放状態にさせることにより特別遊技を実行し、払出指示手段は、特別遊技中に変動入賞装置に入賞した入賞球数が予め設定されている上限個数を超えていれば、その上限個数を超えた分の変動入賞装置への入賞球（超過入賞球）については払出装置に対して払出の指示を行わない。すなわち、例えば変動入賞装置を閉鎖する間際に連続して入賞することがあって超過入賞球が発生してもその超過入球賞に対する払出が行われないから、１回の特別遊技で実際に獲得される賞球数（実績値）が、パチンコ機の機種毎に設定されている設定上限値を超えることはなく、パチンコ機の設計上の性能と実際の性能とが乖離することもない。
【手続補正４】
【補正対象書類名】明細書
【補正対象項目名】００３４
【補正方法】変更
【補正の内容】
【００３４】
しかも、特別遊技実行条件が成立すると遊技球が特定の領域を通過したことを条件とせずに変動入賞装置が予め設定された回数まで繰り返し開放状態になるので、従来のパチンコ機において変動入賞装置を再開放させるために必要とされていた、特定領域を設ける必要はなく、特定領域を通過する遊技球を検出するためのセンサ類を設置する必要もなくなるから、パチンコ機の構造が簡単になり、遊技制御装置の負担も軽減される。また、変動入賞装置の開放回数が規定回数に達する前に特別遊技が終了することがないので、遊技客は安心して特別遊技を楽しむことができる。しかも、従来のパチンコ機では特別遊技が途中までで終了することがあり、そのような場合には遊技者は損をしたと感じることがあったが、これも防止できる。
【手続補正書】
【提出日】平成16年9月9日(2004.9.9)
【手続補正１】
【補正対象書類名】明細書
【補正対象項目名】発明の名称
【補正方法】変更
【補正の内容】
【発明の名称】治療システム
【手続補正２】
【補正対象書類名】明細書
【補正対象項目名】特許請求の範囲
【補正方法】変更
【補正の内容】
【特許請求の範囲】
【請求項１】
生体に治療用エネルギーを印加して生体組織を治療する治療用アプリケータと、
前記治療用アプリケータに駆動信号を出力することで、前記治療用アプリケータから前記治療用エネルギーを発生させる駆動信号発生手段と、
前記治療用アプリケータから発生される前記治療用エネルギーによって治療される前記生体の治療部位の状況を画像として表示可能に設けられた表示手段と、
前記表示手段に表示された前記画像の所望の画素を指定する画素指定手段と、
前記画素指定手段によって指定された前記画素の輝度情報を検出することによって、前記治療部位の治療状況を判別する治療状況判別手段と、
前記治療状況判別手段の判別結果に応じて、前記駆動信号発生手段を制御する制御手段と、
を具備することを特徴とする治療システム。
【請求項２】
生体に治療用エネルギーを印加して生体組織を治療する治療用アプリケータと、
前記治療用アプリケータに駆動信号を出力することで、前記治療用アプリケータから前記治療用エネルギーを発生させる駆動信号発生手段と、
前記治療用アプリケータから発生される前記治療用エネルギーによって治療される前記生体の治療部位の状況を画像として表示可能に設けられた表示手段と、
前記表示手段に表示された前記画像の所望の画素を指定する画素指定手段と、
前記画素指定手段で指定した前記画素の輝度情報を検出する輝度情報検出手段と、
前記輝度情報検出手段によって検出された前記輝度情報と、予め設定された所定の輝度設定値と比較する輝度情報比較手段と、
前記輝度情報比較手段の比較結果に基づいて、前記治療部位の治療状況を判別する治療状況判別手段と、
前記治療状況判別手段の判別結果に応じて、前記駆動信号発生手段を制御する制御手段と、
を具備することを特徴とする治療システム。
【手続補正３】
【補正対象書類名】明細書
【補正対象項目名】０００１
【補正方法】変更
【補正の内容】
【０００１】
【発明の属する技術分野】
本発明は生体内に挿入される治療用アプリケータとＭＲＩ装置などの観察手段とが組合わせて使用される治療システムに関する。
【手続補正４】
【補正対象書類名】明細書
【補正対象項目名】０００５
【補正方法】変更
【補正の内容】
【０００５】
本発明は上記事情に着目してなされたもので、その目的は、治療用アプリケータと、ＭＲ装置などの観察手段とを同時に使用する場合の操作を簡素化することができ、治療用アプリケータの使用中に、組織変化状態に応じて出力を停止することができる治療システムを提供することにある。
【手続補正５】
【補正対象書類名】明細書
【補正対象項目名】０００６
【補正方法】変更
【補正の内容】
【０００６】
【課題を解決するための手段】
請求項１の発明は生体に治療用エネルギーを印加して生体組織を治療する治療用アプリケータと、前記治療用アプリケータに駆動信号を出力することで、前記治療用アプリケータから前記治療用エネルギーを発生させる駆動信号発生手段と、前記治療用アプリケータから発生される前記治療用エネルギーによって治療される前記生体の治療部位の状況を画像として表示可能に設けられた表示手段と、前記表示手段に表示された前記画像の所望の画素を指定する画素指定手段と、前記画素指定手段によって指定された前記画素の輝度情報を検出することによって、前記治療部位の治療状況を判別する治療状況判別手段と、前記治療状況判別手段の判別結果に応じて、前記駆動信号発生手段を制御する制御手段と、を具備することを特徴とする治療システムである。
請求項２の発明は、生体に治療用エネルギーを印加して生体組織を治療する治療用アプリケータと、前記治療用アプリケータに駆動信号を出力することで、前記治療用アプリケータから前記治療用エネルギーを発生させる駆動信号発生手段と、前記治療用アプリケータから発生される前記治療用エネルギーによって治療される前記生体の治療部位の状況を画像として表示可能に設けられた表示手段と、前記表示手段に表示された前記画像の所望の画素を指定する画素指定手段と、前記画素指定手段で指定した前記画素の輝度情報を検出する輝度情報検出手段と、前記輝度情報検出手段によって検出された前記輝度情報と、予め設定された所定の輝度設定値と比較する輝度情報比較手段と、前記輝度情報比較手段の比較結果に基づいて、前記治療部位の治療状況を判別する治療状況判別手段と、前記治療状況判別手段の判別結果に応じて、前記駆動信号発生手段を制御する制御手段と、を具備することを特徴とする治療システムである。
そして、治療部位を示す画像の任意の画素を画素指定手段で指定し、その画素の輝度変化に応じて治療状況、度合いを判別し、治療用アプリケータを制御するようにしたものである。
【手続補正６】
【補正対象書類名】明細書
【補正対象項目名】０３０７
【補正方法】変更
【補正の内容】
【０３０７】
【発明の効果】
本発明によれば、治療用アプリケータと、ＭＲ装置などの観察手段とを同時に使用する場合の操作を簡素化することができ、治療用アプリケータの使用中に、組織変化状態に応じて出力を停止することができる。
【手続補正書】
【提出日】平成16年11月26日(2004.11.26)
【手続補正１】
【補正対象書類名】明細書
【補正対象項目名】００１７
【補正方法】変更
【補正の内容】
【００１７】
このように弾性糸を配設することで、複数本の弾性糸Ｇ１…，Ｇ２…を束ねて固定した部位、すなわち股間部４および腰脇部２Ｌ，２Ｒ，５Ｌ，５Ｒの収縮力が弱まる。その結果、吸収体１０の幅方向の収縮が小さくなるとともに、被着者の腰脇に締付け跡が付きにくくなる。また本例では、脚周り部３Ｌ，３Ｒ，６Ｌ，６Ｒでは、複数の弾性糸Ｇ１…，Ｇ２…は相互に間隔を開けておむつ形シート１に固定されているので、当該部分の収縮力は股間部４や腰脇部２Ｌ，２Ｒ，５Ｌ，５Ｒと比べて強い。また、この脚周り部３Ｌ，３Ｒ，６Ｌ，６Ｒはより幅方向に広い面で被着者の太股に接する。よって、太股の付け根に対するフィット性が良好であり、締付け跡が付きにくいとともに横漏れ防止効果にも優れる。
【手続補正２】
【補正対象書類名】明細書
【補正対象項目名】符号の説明
【補正方法】変更
【補正の内容】
【符号の説明】
Ｐ…パンツタイプ紙おむつ、１…おむつ形シート、２Ｌ，２Ｒ…前身頃の腰脇部、３Ｌ，３Ｒ…前身頃の脚周り部、４…股間部、５Ｌ，５Ｒ…後身頃の腰脇部、６Ｌ，６Ｒ…後身頃の脚周り部、７…ギャザー、１０…吸収体、１１…透液性トップシート、１２…吸収材、１３…不透液性バックシート、Ｇ１…前身頃側の弾性糸、Ｇ２…後身頃側の弾性糸。
【手続補正書】
【提出日】平成17年2月22日(2005.2.22)
【手続補正１】
【補正対象書類名】明細書
【補正対象項目名】特許請求の範囲
【補正方法】変更
【補正の内容】
【特許請求の範囲】
【請求項１】
挿入部から操作部にかけて配置され、切除されたポリープ等の組織片を吸引回収するために所定の管路径を有するチャンネルを備えた内視鏡と、
前記チャンネルの基端部に連通し、前記操作部の外表面に開口すると共に、前記管路径と同一もしくはそれ以上の大きさの内径を有する鉗子挿入孔と、
前記挿入孔に着脱自在で連通すると共に、前記管路径と同一もしくはそれ以上の内径を有する連結管路と、
前記連結管路内部に吸引力を加えるための吸引装置と、
前記吸引装置と前記連結管路に連結され、前記吸引装置の吸引力によって吸引された組織片を捉える回収トラップと、
前記連結管路の吸引の切替を行うバルブ手段と、
を具備することを特徴とするポリープ回収用内視鏡システム。
【手続補正２】
【補正対象書類名】明細書
【補正対象項目名】０００５
【補正方法】変更
【補正の内容】
【０００５】
【課題を解決するための手段】
本発明は、挿入部から操作部にかけて配置され、切除されたポリープ等の組織片を吸引回収するために所定の管路径を有するチャンネルを備えた内視鏡と、
前記チャンネルの基端部に連通し、前記操作部の外表面に開口すると共に、前記管路径と同一もしくはそれ以上の大きさの内径を有する鉗子挿入孔と、
前記挿入孔に着脱自在で連通すると共に、前記管路径と同一もしくはそれ以上の内径を有する連結管路と、
前記連結管路内部に吸引力を加えるための吸引装置と、
前記吸引装置と前記連結管路に連結され、前記吸引装置の吸引力によって吸引された組織片を捉える回収トラップと、
前記連結管路の吸引の切替を行うバルブ手段と、
を具備することを特徴とするポリープ回収用内視鏡システムである。
【手続補正書】
【提出日】平成17年10月7日(2005.10.7)
【手続補正１】
【補正対象書類名】明細書
【補正対象項目名】特許請求の範囲
【補正方法】変更
【補正の内容】
【特許請求の範囲】
【請求項１】  （ａ）ハンドルと、携帯手段と、長さが１５メートルを超える液体用導管手段を通して床仕上げ剤を移送することが可能な供給源とを有する可動型中央ユニットと、
（ｂ）床仕上げ剤塗布手段とスプレーヘッドとを有し、前記スプレーヘッドは前記液体用導管手段と弁を介して液体的に連通するとともに、実質的に液垂れを防止したアパーチャを設けた面を有し、前記アパーチャの最大直径が約０．５〜５ｍｍで孔の深さが１〜１０ｍｍであり、装置が真空ピックアップを必要としないよう構成されているワンドアセンブリ、
とを備えた床仕上げ剤塗布装置。
【請求項２】  床仕上げ剤の供給源が貯蔵容器及びポンプで構成され、前記貯蔵容器が、約２リットルより大きい容量のプラスチックボトルで構成されている請求項１に記載の床仕上げ剤塗布装置。
【手続補正書】
【提出日】平成17年2月28日(2005.2.28)
【手続補正１】
【補正対象書類名】明細書
【補正対象項目名】特許請求の範囲
【補正方法】変更
【補正の内容】
【特許請求の範囲】
【請求項１】
二つの温度調整タイプ金型の間で被矯正物を加圧して行う変形矯正方法であって、析出硬化型鋼からなるスラストおよびラジアル軸受の軌道輪の熱処理硬化の最終工程中または当該工程の前後の少なくとも一つにおいて、熱処理パラメータ（θ）が３０００以上で温間プレス変形矯正することを特徴とする鋼製部材の変形矯正方法。
ただし、プレス治具温度をT(℃)、ｔ  をプレス時間（ｓｅｃ）と定めたとき、前記熱処理パラメータであるθは、θ＝T  ×  ｌｎ  （ｔ）  の関係式で定義される。
【請求項２】
二つの温度調整タイプ金型の間で被矯正物を加圧して行う変形矯正方法であって、析出硬化型鋼からなり矯正方向に対し非対称な断面形状を有する部品の熱処理硬化の最終工程中または当該工程の前後の少なくとも一つにおいて、熱処理パラメータ（θ）が２０００以上で温間プレス変形矯正することを特徴とする鋼製部材の変形矯正方法。
ただし、プレス治具温度をT(℃)、ｔをプレス時間（ｓｅｃ）と定めたとき、前記熱処理パラメータであるθは、θ＝T×ｌｎ（ｔ）の関係式で定義される。
【請求項３】
二つの温度調整タイプ金型の間で被矯正物を加圧して行う変形矯正方法であって、炭素鋼からなるプレスチューブの熱処理硬化の最終工程中または当該工程の前後の少なくとも一つにおいて、熱処理パラメータ（θ）が４４８以上で温間プレス変形矯正することを特徴とする鋼製部材の変形矯正方法。
ただし、プレス治具温度をT(℃)、ｔ  をプレス時間（ｓｅｃ）と定めたとき、前記熱処理パラメータであるθは、θ＝T×ｌｎ（ｔ）の関係式で定義される。
【手続補正２】
【補正対象書類名】明細書
【補正対象項目名】０００９
【補正方法】変更
【補正の内容】
【０００９】
【発明の実施の形態】
以下、本発明の実施の形態を図面を参照して説明する。
本発明の請求項１に係わる鋼製部材の変形矯正方法の第１の実施形態として、例えば析出硬化型材料からなるスラストおよびラジアル軸受の軌道輪に対し適用する場合を説明する。
【手続補正３】
【補正対象書類名】明細書
【補正対象項目名】００２４
【補正方法】変更
【補正の内容】
【００２４】
続いて、本発明の請求項２に係わる第２の実施形態について説明する。
これは、析出硬化型鋼製部材の変形矯正方法を、矯正方向に対して非対称な断面形状を有する部品の変形矯正に適用したものである。具体的には、図６に示すようなチューブ循環方式のボールネジ１００のナット１０１に付属するボールリターンチューブ１０２、特に析出硬化型材料からなるボールリターンチューブ１０２の製造に適用した例である。
【手続補正４】
【補正対象書類名】明細書
【補正対象項目名】００３２
【補正方法】変更
【補正の内容】
【００３２】
なお、本実施形態におけるプレスチューブ材に使用される材料は、SUS６３１に限られず、二次析出を起こして硬化するものであれば適用可能である。
更に、本発明の請求項３に係わる第３の実施形態について説明する。
【手続補正書】
【提出日】平成17年10月21日(2005.10.21)
【手続補正１】
【補正対象書類名】明細書
【補正対象項目名】００２５
【補正方法】変更
【補正の内容】
【００２５】
スイッチング手段32は、送信段階中、アンテナ３をキャパシタ８と直列に接続するために端子32a を端子32bに接続することに注目する。換言すれば、キャパシタ８とアンテナ３とは、直列ＬＣ回路を形成するために接続される。
好適には、キャパシタ８、スイッチング手段32および処理手段33は、単一の半導体基板でのモノリシック方法(monolithic manner) で作られる。代わりの実施例によれば、これらの構成要素に加えて、アンテナ３もまたモノリシック方法で作られてもよい。